(57)【要約】【課題】回転リールの組立作業が容易となり、製造コスト低減が図れるようになるスロットマシンの提供。【解決手段】鏡面部38及び透光窓部37をリールテープ26に直接形成し、これらの鏡面部38及び透光窓部37の位置に基づいて回転リール24の回転角度位置を検出するので、回転リール24にリールテープ26を取り付ける際に、リールテープ26が回転リール24の所定取付位置からずれても、鏡面部38及び透光窓部37と図柄26A との位置関係がずれることがなく、適切に回転角度位置を検出できる。従って、リールテープ26の取付位置のずれに留意する必要がないうえ、複数のインデックス部材を回転リール24に取り付ける必要もなくなり、回転リール24の組立作業が容易となり、製造コストの低減が図れるようになる。【選択図】    図５
2008245671.tif 000002
【特許請求の範囲】
【請求項１】
円筒状に形成されるとともに、その外周面に複数種類の図柄が記された複数の回転リールと、これらの回転リールをそれぞれ回転駆動する複数の駆動モータとを備え、回転している回転リールを遊技者が停止させた際に、停止された回転リールが示す図柄が所定の組合せとなっている場合に入賞となる遊技機であって、
前記回転リールの各々は、細長い帯状に形成されるとともに透光性を有する面状材の表面に前記複数種類の図柄が記された帯状体と、円筒状の骨組みとして形成された円筒状基体とを備え、前記円筒状基体の外周部分に前記帯状体が巻回されたものであり、
前記回転リールの内側に配置されて、前記帯状体に記された図柄を当該帯状体の裏側から照射するバックライトと、
このバックライトが投光する光を受ける受光素子とが設けられ、
前記回転リールの外周部分には、前記バックライトが照射する光が前記受光素子まで到達するように、前記バックライトから前記受光素子までの光路を形成する光路形成手段と、前記バックライトが照射する光が前記受光素子まで到達しないように、前記光路の形成を妨げる光路障害手段とが設けられ、
前記バックライトが前記回転リールの回転角度位置を検出するために光を照射する投光手段とされるとともに、前記受光素子が前記回転リールの回転角度位置を検出するために光を受光する受光手段となっていることを特徴とする遊技機。
【請求項２】
前記光路形成手段及び前記光路障害手段は、所定の間隔を開けて回転リールの周方向に交互に複数設けられ、
回転リールの回転角度における原点位置には、前記光路形成手段及び前記光路障害手段の一方が設けられ、
当該原点位置に設けられている前記光路形成手段及び前記光路障害手段の一方は、その周方向に沿った長さ寸法が他の位置に設けられたものと相違していることを特徴とする請求項１記載の遊技機。
【請求項３】
前記光路形成手段及び前記光路障害手段は、前記回転リールの周方向に交互に複数設けられているとともに、当該周方向に沿った長さ寸法が、その回転角度位置に応じて設定されていることを特徴とする請求項１記載の遊技機。
【請求項４】
前記回転リールの各々に対して、複数のバックライトと、一つの受光素子とが設けられており、
各回転リールに対応する受光素子は、当該回転リールに対応した複数のバックライトのうち、特定の一つのバックライトが照射する光のみを受光可能な位置に配置されていることを特徴とする請求項２又は３記載の遊技機。
【請求項５】
前記回転リールの各々に対して、複数のバックライトと、複数の受光素子とが設けられており、
前記複数の受光素子の各々は、当該回転リールに対応する複数のバックライトのうち、特定の一つのバックライトが照射する光のみを受光可能とされ、且つ、同じ回転リールに対応する他の受光素子とは、受光の回転角度位置がずれるように配置されていることを特徴とする請求項２又は３記載の遊技機。
【請求項６】
前記回転リールの各々に対して、複数のバックライトと、複数の受光素子とが設けられており、
前記光路形成手段及び前記光路障害手段の少なくとも一方は、前記回転リールの周方向に所定間隔で設けられるとともに、前記帯状体の幅方向における位置が、当該回転リールの回転角度位置に応じて設定され、
前記複数の受光素子は、前記帯状体の幅方向に平行に配列されていることを特徴とする請求項１記載の遊技機。
【発明の詳細な説明】
【技術分野】
【０００１】
円筒状に形成されるとともに、その外周面に複数種類の図柄が記された複数の回転リールと、これらの回転リールをそれぞれ回転駆動する複数の駆動モータとを備え、回転している回転リールを遊技者が停止させた際に、停止された回転リールが示す図柄が所定の組合せとなっている場合に入賞となる遊技機に関する。
【背景技術】
【０００２】
従来から、人々に娯楽を提供する遊技機として、スロットマシンが利用されている。
スロットマシンは、複数種類の図柄が記されるとともに回転駆動可能に設けられた複数の回転リールを備えたものであり、複数の回転リールに設けられた複数種類の図柄を所定の組合せに揃える遊技を遊技者に行わせるものとなっている。
具体的には、遊技者がメダルをスロットマシンに投入した後、スタートレバーを操作すると、複数の回転リールが一斉に回転駆動され、この後、ストップボタンを適宜押圧操作すると、ストップボタンに対応した回転リールが適宜停止するようになっている。そして、回転リールが停止した際に、リール窓内に表示された複数の図柄が特定の組合せに揃ったときに入賞となり、入賞すると、入賞した役に応じた数のメダルがスロットマシンから遊技者に払い出されることとなる。
【０００３】
このようなスロットマシンでは、回転リールを駆動するのに、１パルスの電力で所定角度ずつ回転駆動させることが可能なステッピングモータを利用するのが一般的である。
そして、このようにステッピングモータで回転リールを回転駆動するスロットマシンでは、回転リールの回転角度位置を検出するのに、回転リールの回転角度位置における原点となる位置にインデックス部材と、このインデックス部材を検出するフォトインターラプタとを設け、フォトインターラプタとインデックス部材とで回転角度位置の原点検出を行い、且つ、原点位置からステッピングモータに送ったパルスの数をカウントし、原点位置からのパルス数に基づいて回転角度位置を検出するのが一般的である。
【０００４】
また、前述のように、原点位置からのステッピングモータに送ったパルスの数に基づいて回転角度位置を検出したのでは、回転角度位置検出のために、インデックス部材を検出するセンサの出力、及び、ステピングモータへのパルス数の二つの検出対象を同時に監視する必要があり、位置を検出するための処理が煩雑となる、という問題がある。
この問題を解決するために、回転リールの周方向に沿って複数のインデックス部材を配列し、これらのインデックス部材の周方向に沿った長さ寸法を互いに相違させ、回転リールが等角速度で回転している状態で、フォトインターラプタの検出時間がインデックス部材毎に異なるようにし、フォトインターラプタの検出時間に基づいて回転角度位置を検出できるようにした回転角度位置検出機構を備えたスロットマシンが提案されている（例えば、特許文献１参照）。
【０００５】
このような回転角度位置検出機構をスロットマシンに設ければ、インデックス部材を検出するセンサの出力のみを監視し、センサの検出時間をカウントすれば、カウント値から角度位置を容易に検出できるので、位置を検出するための処理を簡略化することができ、前述の問題を解決することができる。
ここで、前述のスロットマシンには、回転リールとしては、筒状の本体と、この本体の外周部分に巻回されるとともに、複数種類の図柄が印刷されているリールテープと、本体の周方向に沿って設定された複数の取付位置に取り付けられるインデックス部材とを備えたものが採用されている。
【特許文献１】特開２００７−３７７７１号
【発明の開示】
【発明が解決しようとする課題】
【０００６】
前述のようなスロットマシンでは、回転リールの本体に対して、リールテープの回転角度位置がずれると、回転リールの停止制御を適正に行っても、適切な図柄表示が行えないので、回転角度位置がずれないようにリールテープを本体に取り付ける必要があるうえ、複数のインデックス部材を本体に取り付ける必要があるので、回転リールの組立作業が面倒となり、製造コストの低減が図れない、という問題がある。
このような問題は、複数の回転リールを備え、これらの回転リールが停止した際に図柄が揃うと大当りとなるパチンコ遊技機等の遊技機でも同様に、解決すべき課題となる。
そこで、各請求項にそれぞれ記載された各発明は、上記した従来の技術の有する問題点に鑑みてなされたものであり、その目的とするところは、回転リールの組立作業が容易となり、製造コスト低減が図れるようになる遊技機を提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、円筒状に形成されるとともに、その外周面に複数種類の図柄が記された複数の回転リール(24)と、これらの回転リール(24)をそれぞれ回転駆動する複数の駆動モータ(28)とを備え、回転している回転リール(24)を遊技者が停止させた際に、停止された回転リール(24)が示す図柄(26A) が所定の組合せとなっている場合に入賞となる遊技機(１)であって、前記回転リール(24)の各々は、細長い帯状に形成されるとともに透光性を有する面状材の表面に前記複数種類の図柄(26A) が記された帯状体(26)と、円筒状の骨組みとして形成された円筒状基体(27)とを備え、前記円筒状基体(27)の外周部分に前記帯状体(26)が巻回されたものであり、前記回転リール(24)の内側に配置されて、前記帯状体(26)に記された図柄(26A) を当該帯状体(26)の裏側から照射するバックライト(29A) と、このバックライト(29A) が投光する光を受ける受光素子(36)とが設けられ、前記回転リール(24)の外周部分には、前記バックライト(29A) が照射する光が前記受光素子(36)まで到達するように、前記バックライト(29A) から前記受光素子(36)までの光路を形成する光路形成手段(38)と、前記バックライト(29A) が照射する光が前記受光素子(36)まで到達しないように、前記光路の形成を妨げる光路障害手段(37)とが設けられ、前記バックライト(29A) が前記回転リール(24)の回転角度位置を検出するために光を照射する投光手段とされるとともに、前記受光素子(36)が前記回転リール(24)の回転角度位置を検出するために光を受光する受光手段となっていることを特徴とする。
【０００８】
ここで、受光素子がバックライトとともに回転リールの内側に配置されている場合、光路形成手段としては、バックライトが投光する光を反射する鏡面部が採用でき、光路障害手段としては、バックライトが投光する光を吸収する黒色部、あるいは、バックライトが投光する光を回転リールの外側へ透過させる透光窓部が採用できる。
一方、受光素子が、回転リールの外側、すなわち、帯状体を挟んでバックライトの反対側に配置されている場合、光路形成手段としては、バックライトが投光する光を回転リールの外側へ透過させる透光窓部が採用でき、光路障害手段としては、バックライトが投光する光を遮断する障壁部が採用できる。
【０００９】
また、光路形成手段及び光路障害手段としては、複数種類の図柄が記された帯状体に一体的に形成されたものを採用するのが好ましい。
（請求項２）
（特徴点）
請求項２記載の発明は、前述した請求項１に記載の発明において、次の特徴点を備えているものである。
すなわち、請求項２記載の発明は、前記光路形成手段(38)及び前記光路障害手段(37)が、所定の間隔を開けて回転リール(24)の周方向に交互に複数設けられ、回転リール(24)の回転角度における原点位置には、前記光路形成手段(38)及び前記光路障害手段(37)の一方が設けられ、当該原点位置に設けられている前記光路形成手段(38)及び前記光路障害手段(37)の一方は、その周方向に沿った長さ寸法が他の位置に設けられたものと相違していることを特徴とする。
【００１０】
（請求項３）
（特徴点）
請求項３記載の発明は、前述した請求項１記載の発明において、次の特徴点を備えているものである。
すなわち、請求項３記載の発明は、前記光路形成手段(68)及び前記光路障害手段(67)が、前記回転リール(24)の周方向に交互に複数設けられているとともに、当該周方向に沿った長さ寸法が、その回転角度位置に応じて設定されていることを特徴とする。
（請求項４）
（特徴点）
請求項４記載の発明は、前述した請求項２又は３記載の発明において、次の特徴点を備えているものである。
【００１１】
すなわち、請求項４記載の発明は、前記回転リール(24)の各々に対して、複数のバックライト(29A) と、一つの受光素子(36)とが設けられており、各回転リール(24)に対応する受光素子(36)は、当該回転リール(24)に対応した複数のバックライト(29A) のうち、特定の一つのバックライト(29A) が照射する光のみを受光可能な位置に配置されていることを特徴とする。
（請求項５）
（特徴点）
請求項５記載の発明は、前述した請求項２又は３記載の発明において、次の特徴点を備えているものである。
【００１２】
すなわち、請求項５記載の発明は、前記回転リール(24)の各々に対して、複数のバックライト(29A) と、複数の受光素子(36)とが設けられており、前記複数の受光素子(36)の各々は、当該回転リール(24)に対応する複数のバックライト(29A) のうち、特定の一つのバックライト(29A) が照射する光のみを受光可能とされ、且つ、同じ回転リール(24)に対応する他の受光素子(36)とは、受光の回転角度位置がずれるように配置されていることを特徴とする。
（請求項６）
（特徴点）
請求項６記載の発明は、前述した請求項１記載の発明において、次の特徴点を備えているものである。
【００１３】
すなわち、請求項６記載の発明は、前記回転リール(24)の各々に対して、複数のバックライト(29A, 29H)と、複数の受光素子(36)とが設けられており、前記光路形成手段(77)及び前記光路障害手段(78)の少なくとも一方は、回転リール(24)の周方向に所定間隔で設けられるとともに、前記帯状体(76)の幅方向における位置が、当該回転リール(24)の回転角度位置に応じて設定され、前記複数の受光素子(36)は、前記帯状体(76)の幅方向に平行に配列されていることを特徴とする。
【発明の効果】
【００１４】
（請求項１の効果）
以上のように構成されている本発明は、以下に記載されるような効果を奏する。
すなわち、請求項１記載の発明によれば、回転リールの外周部分に、バックライトの光を受光素子まで到達させるために光路形成手段と、バックライトの光が受光素子まで到達しないようにする光路障害手段とを設け、これにより、回転リールの回転角度位置を検出するために光を投光する投光手段としてバックライトから、バックライトの光を受光する受光手段として設けられた受光素子までの光路の形成に回転リールの外周部分が関与するようにしたので、複数種類の図柄が記されるとともに、回転リールの外周部分に配置される帯状体に、光路形成手段及び光路障害手段を直接形成することができるようになる。
【００１５】
そして、光路形成手段及び光路障害手段を帯状体に直接形成すれば、回転リールに帯状体を取り付ける際に、帯状体の位置が回転リールの所定取付位置からずれても、光路形成手段及び光路障害手段と図柄との位置関係がずれることがなく、回転リールの停止制御を適正に行えば、適切な図柄表示を行うことができる。
そのうえ、光路形成手段及び光路障害手段によって回転角度位置の指標が形成されるので、指標となるインデックス部材を別途回転リールに取り付ける必要がなくなる。
従って、回転リールに帯状体を取り付ける際に、帯状体の取付位置のずれに留意する必要がなく、回転リールに帯状体を容易に取り付けることができるようになるうえ、複数のインデックス部材を回転リールに取り付け取付作業が不要となるので、回転リールの組立作業が容易となり、製造コストの低減が図れるようになる。
【００１６】
（請求項２の効果）
請求項２記載の発明によれば、上記した請求項１記載の発明の効果に加え、次のような効果を奏する。
すなわち、請求項２記載の発明によれば、回転リールの周方向に交互に複数設けられた光路形成手段及び光路障害手段のうちの一つを、回転リールの回転角度における原点位置に設けたので、原点位置を起点として光路形成手段及び光路障害手段のいずれか一方の数を受光素子でカウントしていくことにより、回転している回転リールの回転角度位置を検出することができる。
【００１７】
これにより、回転リールの回転角度位置を検出するにあたり、受光素子の出力のみを検出対象として監視すれば、回転角度位置の検出が行えるようになるので、位置を検出するための処理が簡略化でき、ひいては、回転リールの停止制御装置が簡単なものですみ、この点からも、製造コストの低減が図れるようになる。
（請求項３の効果）
請求項３記載の発明によれば、上記した請求項１記載の発明の効果に加え、次のような効果を奏する。
すなわち、請求項３記載の発明によれば、回転リールの周方向に交互に複数設けられた光路形成手段及び光路障害手段の周方向に沿った長さ寸法を、回転リールの回転角度位置に対応させたので、光路形成手段及び光路障害手段のいずれか一方に対応する受光素子の出力信号の持続時間を測定することにより、回転している回転リールの回転角度位置を検出することができる。
【００１８】
これにより、回転リールの回転角度位置を検出するにあたり、受光素子の出力のみを検出対象として監視すれば、回転角度位置の検出が行えるようになるので、位置を検出するための処理が簡略化でき、ひいては、回転リールの停止制御装置が簡単なものですみ、この点からも、製造コストの低減が図れるようになる。
（請求項４の効果）
請求項４記載の発明によれば、上記した請求項２又は３に記載の発明の効果に加え、次のような効果を奏する。
すなわち、請求項４記載の発明によれば、回転リールの各々に対して、複数のバックライトと、一つの受光素子とを設けたので、回転リールの外周面を広い範囲で照らし出すことができ、例えば、各回転リールの複数の図柄のうち、三つの図柄を照らし出すようにすれば、三本の入賞ラインが設定された遊技に対応することができる。しかも、各回転リールに対応する受光素子を、当該回転リールに対応した複数のバックライトのうち、特定の一つのバックライトが照射する光のみを受光可能な位置に配置したので、複数のバックライトが設けられていても、回転角度位置検出に利用しないバックライトの発する光による検出誤差発生を未然に防止することができ、発生した誤差を補正する補正手段等を測定回路に設ける必要がない。このため、位置を検出するための処理が簡略化でき、ひいては、回転リールの停止制御装置が簡単なものですみ、この点からも、製造コストの低減が図れるようになる。
【００１９】
（請求項５の効果）
請求項５記載の発明によれば、上記した請求項２又は３記載の発明の効果に加え、次のような効果を奏する。
すなわち、請求項５記載の発明によれば、回転リールの各々に対して、複数のバックライトと、複数の受光素子とを設け、複数の受光素子の各々は、当該回転リールに対応する複数のバックライトのうち、特定の一つのバックライトが照射する光のみを受光可能とし、且つ、同じ回転リールに対応する他の受光素子とは、受光の回転角度位置がずれるように配置したので、回転リールを回転させると、複数の受光素子の各々がバックライトからの光を受光するタイミングがずれるようになり、一の受光素子を基準に他の受光素子の受光の先後を検出すれば、回転リールの回転方向が時計方向及び反時計方向のいずれであるかが検出できる。従って、回転リールが時計方向及び反時計方向のいずれの方向にも回転駆動可能となっていても、原点位置を起点として光路形成手段及び光路障害手段のいずれか一方の数を受光素子でカウントしていくことにより、回転している回転リールの回転角度位置を検出することができる。
【００２０】
（請求項６の効果）
請求項６記載の発明によれば、上記した請求項１記載の発明の効果に加え、次のような効果を奏する。
すなわち、請求項６記載の発明によれば、回転リールの各々に対して、複数のバックライトと、複数の受光素子とを設け、且つ、光路形成手段及び光路障害手段の少なくとも一方を、回転リールの周方向に所定間隔で設けるとともに、帯状体の幅方向における位置を当該回転リールの回転角度位置に応じて設定し、さらに、複数の受光素子を、帯状体の幅方向に平行に配列したので、回転リールの周方向に所定間隔で設けられた光路形成手段又は光路障害手段については、その帯状体の幅方向における位置を、複数の受光素子によって検出することができる。ここで、光路形成手段又は光路障害手段に係る帯状体の幅方向における位置は、回転リールの回転角度位置に応じて設定されているので、これにより、複数の受光素子で回転リールの回転角度位置を検出することができる。
【００２１】
ここで、回転リールの回転角度位置を検出するにあたり、受光素子の出力のみを検出対象として監視すれば、回転角度位置の検出が行えるようになるので、位置を検出するための処理が簡略化でき、ひいては、回転リールの停止制御装置が簡単なものですみ、この点からも、製造コストの低減が図れるようになる。
【発明を実施するための最良の形態】
【００２２】
以下に、本発明を実施するための最良の形態である実施形態について、図面に基づいて説明する。
（第１実施形態）
図１〜図６は、本発明の第１実施形態を示すものである。図１は、本第１実施形態に係る遊技機であるスロットマシンの全体を示す正面図、図２は、本第１実施形態に係るスロットマシン全体を示す前扉及び交換ユニットが分離状態の分解斜視図、図３は、本第１実施形態に係る回転リールを示す拡大斜視図、図４は、本第１実施形態に係る帯状体を示す拡大正面図、図５は、本第１実施形態に係る回転角度位置検出機構を示す模式断面図、図６は、本第１実施形態に係る回転角度位置検出機構の異なる状態を示す模式断面図である。
【００２３】
本実施形態に係る遊技機であるスロットマシン１は、外周面に複数種類の図柄が記された複数の回転リール24を備え、遊技者が回転している回転リール24を停止させた際に、停止した回転リール24の示す図柄が所定の組合せとなっている場合に入賞となるものである。
このようなスロットマシン１には、図１及び図２に示すように、スロットマシン１の筐体として箱状に形成されるとともに、前面開口となる開口部11を前面側に有する本体キャビネット10と、この本体キャビネット10の内部に着脱自在に設けられる後述する交換ユニット２と、本体キャビネット10の開口部11を開閉するために、本体キャビネット10に回動可能に設けられた前扉３とが設けられている。
【００２４】
このうち、前扉３は、開口部11の上側を開閉可能に塞ぐ上扉である上部前扉30と、開口部11の下側を開閉可能に塞ぐ下扉である下部前扉40とに分割されたものである。
ここで、前扉３は、上部前扉30を閉じた状態にしたまま、下部前扉40のみを開閉操作することができるようになっている。換言すると、前扉３は、開く際には、下部前扉40が上部前扉30よりも先に開き、且つ、閉じる際には、下部前扉40が上部前扉30よりも後に閉まるようになっている。
（本体キャビネット10）
本体キャビネット10は、図２の如く、底部に配置された底板12、両側に配置された一対の側板13、頂部に配置された天板14及び背側に配置された背板15を有する筺体である。本体キャビネット10の高さ方向における略中央部分には、一対の側板13の間に水平に架け渡された中板16が設けられている。そして、この中板16の下面には、電源装置４が取り付けられ、この電源装置４の下方には、ホッパーユニット５が配置されている。
【００２５】
ここで、電源装置４は、スロットマシン１の全体に電力を供給するものである。この電源装置４の前面には、スロットマシン１への電力供給を入り切りする操作を行うための電源スイッチ4Aと、当選確率の設定を変更するために操作される設定変更スイッチとしての押しボタンスイッチ4Bと、この押しボタンスイッチ4Bによる設定変更操作を有効なものにする設定変更キーが差し込まれる鍵穴4Cとが設けられている。
また、電源装置４及びホッパーユニット５は、異なる交換ユニット２に対しても共通に利用できるものである。換言すれば、交換ユニット２を他の種類の交換ユニット２に交換するにあたり、電源装置４及びホッパーユニット５は、別のものへの交換が不要となっている。
【００２６】
（交換ユニット２）
交換ユニット２は、複数種類の図柄がそれぞれの外周面に記された複数の回転リール24を後述するステッピングモータ28でそれぞれ回転駆動するように構成されたリールユニット22と、回転リール24の作動を制御するための制御装置である基板ユニット23と、これらリールユニット22及び基板ユニット23を支持する支持体としての枠体21とを含んで構成されたものである。
なお、基板ユニット23は、直方体状のケース23A の内部に、スロットマシン１の遊技動作等を制御するための図示しない主基板と、各種演出を行うための図示しない副基板とを収納したものである。
【００２７】
また、本体キャビネット10に設けられた各側板13の内側の面には、図２及び図３に示すように、交換ユニット２の枠体21を係止可能な固定金具６が設けられている。なお、図２及び図３には、左右の側板13のうち、左側の側板13に設けられた固定金具６のみが示されている。
交換ユニット２は、本体キャビネット10の中板16の上に載置され、この状態で固定金具６に係止されることにより、本体キャビネット10の内部に収納・固定されている。
そして、固定金具６は、所定の操作が行われることにより、交換ユニット２に対する係止を解除するようになっている。交換ユニット２は、固定金具６による係止が解除されると、本体キャビネット10から取り外して分離することが可能となっている。
【００２８】
また、交換ユニット２の枠体21には、上部前扉30を回動自在に支持する回動支持部25が設けられている。これにより、交換ユニット２は、上部前扉30が装着された状態で、本体キャビネット10に対して着脱することが可能となっている。
（下部前扉40）
下部前扉40は、図２に示すように、本体キャビネット10の図２中左方に配置された側板13に設けられた回動支持部17により、一端縁側が回動自在に支持され、且つ、他端縁側が図示しない施錠機構によりロック可能となった扉体である。
また、下部前扉40は、その奥行き寸法、換言すると、厚さが上部前扉30よりも大きくされ、これにより、前面が上部前扉30の前面よりも前方に迫り出している。このため、下部前扉40の上面は、上部前扉30の前面から水平に突出した略水平面となっている。この下部前扉40の上面近傍の部分が、スロットマシン１の遊技操作を行うための操作部50となっている。
【００２９】
操作部50には、図１及び図２の如く、図中右側から、下部前扉40の施錠を行う鍵が差し込まれる鍵穴51と、遊技用メダルが投入されるメダル投入口52と、回転リール24の回転を停止させるストップスイッチ53と、メダル投入口52に投入されたメダルのうち該ゲームに賭けるメダルの枚数を設定するためのベットスイッチ54と、回転リール24の回転を開始させるスタートスイッチ55とが設けられている。
操作部50の下方には、文字及び図の少なくとも一方からなる標章、例えば、スロットマシン１の機種名を鮮明に表示するための下パネル60が設けられている。この下パネル60の裏側には、下パネル60を後方から照らす図示しないバックライト装置が設けられている。さらに、下パネル60の下方には、払い出されたメダルを溜めておくためのメダル受け42が設けられている。
【００３０】
また、下部前扉40の裏面には、図１の如く、メダル投入口52に投入されたメダルを誘導しながらメダルの真贋を判定するためのメダルセレクタ43が設けられている。
（上部前扉30）
上部前扉30は、図２及び図３に示すように、前述した枠体21に設けられた回動支持部25により、一端縁側が回動自在に支持され、且つ、他端縁側が図示しない施錠機構によりロック可能となった扉体である。
また、上部前扉30の略中央部には、図１及び図２に示すように、回転リール24の図柄を遊技者に見せるための図柄表示窓32が設けられている。
【００３１】
この図柄表示窓32の上方には、図１及び図２の如く、当該図柄表示窓32の上方を被さるように逆Ｕ字形に延びる装飾照明部33が設けられる一方、図柄表示窓32の下方には、種々の表示を行うための表示装置34が設けられている。
このうち、装飾照明部33は、白熱ランプや発光ダイオード等の各種の光源を含んで構成され、入賞の告知や演出等のために光源を点灯あるいは点滅されるものとなっている。
なお、本実施形態では、表示装置34として、７セグメントの発光ダイオードを備え、数字の表示が可能となった表示装置が採用されているが、表示面積が充分確保できる場合には、数字や文字だけでなく、画像の表示までもが可能となった液晶パネルやＣＲＴを利用した表示装置も採用できる。
【００３２】
上部前扉30の上方左右の角隅近傍には、種々の音声を出力するためのスピーカ35が設けられている。
（回転リール24）
リールユニット22に備えられている複数の回転リール24の各々は、図３に示すように、細長い帯状に形成されるとともに、透光性を有する面状材の表面に複数種類の図柄26A が記された帯状体としてのリールテープ26と、円筒状の骨組みとして形成された円筒状基体であるリールフレーム27とを備えたものである。
リールフレーム27は、円筒状の外周部分に配置されている外周リング部27A と、外周リング部27A の回転中心に配置されているハブ部27B と、外周リング部27A 及びハブ部27B を相互に連結するスポーク部27C とを有している。このようなリールフレーム27の外周部分に配置されている外周リング部27A にリールテープ26が巻回されている。
【００３３】
また、回転リール24の各々の内側には、当該回転リール24を回転駆動する駆動モータであるステッピングモータ28と、リールテープ26に記された図柄26A を当該リールテープ26の裏側から照射するバックライトである複数の光源部29A を有する照明装置29とが設けられている。
ステッピングモータ28は、図示しないブラケットを介して交換ユニット２の枠体21に支持されている。また、ステッピングモータ28の図示しない出力軸は、リールフレーム27の回転中心にあるハブ部27B に連結されている。
（照明装置29）
照明装置29は、リールテープ26に一列に配列された三つの図柄26A に光を背後から当てることができるように、これら三つの図柄26A にそれぞれ対応した三つの光源部29A と、これらの光源部29A が発する光をリールテープ26側へ反射させるとともに、その内部に対応する光源部29A を収納する反射収納部29B を有している。
【００３４】
三つの光源部29A の各々は、一箇所に集束配置された複数の白色ＬＥＤ29C を有するものである。
反射収納部29B は、三つの図柄26A に対応した形状及び寸法を有する箱状に形成された部材である。この反射収納部29B には、内部空間を三つに仕切る二つの仕切壁29D が設けられている。これらの仕切壁29D により、三つの図柄26A の各々に対応する三つの収納部29E 〜29G が形成されている。そして、これら三つの収納部29E 〜29G の各内部に、光源部29A が一つずつ設けられている。
ここで、図３中最も下方に配置された収納部29G に収納されている光源部29A は、回転リールの回転角度位置を検出するために光を照射する投光手段となっている。
【００３５】
そして、照明装置29の図３中下方には、収納部29G に収納されている光源部29A が発する光を受光するための受光素子36が設けられている。この受光素子36は、回転リール24の回転角度位置を検出するために、図３中の最も下方に配置された光源部29A が発する光を受光する受光手段となっている。
（光路形成手段及び光路障害手段）
一方、回転リール24の外周部分となるリールテープ26は、収納部29G に収納されている光源部29A が発する光を通すために、図４に示すように、図４中右側の側縁部分に所定の間隔を開けて透光窓部37が設けられている。
【００３６】
換言すると、リールテープ26には、リールテープ26に記された図柄26A と同数の透光窓部37が一体的に設けられており、各透光窓部37は、対応する各図柄26A の回転方向における中心位置に配置されている。
また、回転リール24の回転角度位置における原点を示すために、リールテープ26に設けられている複数の透光窓部37のうちの一つ、ずなわち、図４中上から２番目の透光窓部37A は、他の透光窓部37B よりも回転方向の長さ寸法が大きく設定されている。
また、リールテープ26の図４中右側の側縁部分の裏面には、収納部29G の光源部29A が発する光を反射するために、鍍金等によって鏡面部38が形成されている。
【００３７】
この際、鏡面部38は、図５に示すように、照明装置29の図５中最下位置に配置されている光源部29A が照射する光が受光素子36まで到達するように、光源部29A が照射する光を反射して、照明装置29の当該光源部29A から受光素子36までの光路Ａを形成する光路形成手段となっている。
また、透光窓部37は、図６に示すように、照明装置29の図５中最下位置に配置されている光源部29A が照射する光が受光素子36まで到達しないように、光源部29A が照射する光をリールテープ26の外側へ通して、照明装置29の当該光源部29A から受光素子36までの光路Ａの形成を妨げる光路障害手段となっている。
【００３８】
以上において、光路形成手段である鏡面部38及び光路障害手段である透光窓部37は、図５及び図６に示すように、所定の間隔を開けて回転リール24の周方向に交互に複数設けられている。そして、前述したように、回転リール24の回転角度における原点位置には、光路形成手段である鏡面部38及び光路障害手段である透光窓部37の一方である透光窓部37A が設けられ、当該原点位置に設けられている透光窓部37A は、その周方向に沿った長さ寸法が他の位置に設けられた透光窓部37B と相違、具体的には、透光窓部37B よりも大きな寸法となっている。
また、受光素子36は、特定の方向から来る光のみを受光するように、一の端面36B にのみ受光孔が開口された遮光筒36A の内部に収納されている。そして、受光素子36は、当該回転リール24の複数の光源部29A のうち、特定の一つである最下位置の光源部29A の照射する光のみを受光可能な位置で配置され、且つ、光路Ａを通った光が遮光筒36A の受光孔に入射する方向に遮光筒36A の端面36B を向けて設置されている。
【００３９】
このような本第１実施形態では、回転リール24の回転駆動動作を制御する制御装置に、受光素子36が受光すべき光源部29A からの光が逸らされた際に、受光素子36から出力される非受光信号の数を計数するカウンタを設けておく。
そして、当該制御装置は、透光窓部37A, 37Bによって光源部29A からの光が逸れていた時間の相違から、回転角度の原点位置となる透光窓部37A を検出し、この透光窓部37A を起点として、受光素子36からの非受光信号の数、すなわち、透光窓部37の数を前述のカウンタで計数していくことにより、回転している回転リール24の回転角度位置を検出するようになっている。
【００４０】
前述のような本第１実施形態によれば、次のような効果が得られる。
すなわち、回転リール24の外周部分に、光源部29A の光を受光素子36まで到達させるために鏡面部38と、光源部29A の光が受光素子36まで到達しないようにする透光窓部37とを設け、これにより、回転リール24の回転角度位置を検出するために光を投光する光源部29A から、光源部29A の光を受光する受光素子36までの光路Ａの形成に回転リール24外周のリールテープ26が関与するようにしたので、複数種類の図柄26A が記されるとともに、回転リール24の外周部分に配置されるリールテープ26の側縁に、鏡面部38及び透光窓部37を直接形成することができるようになる。
【００４１】
そして、鏡面部38及び透光窓部37をリールテープ26に直接形成し、回転リール24にリールテープ26を取り付ける際に、リールテープ26の位置が回転リール24の所定取付位置からずれても、鏡面部38及び透光窓部37と図柄26A との位置関係がずれないようにしたので、回転リール24の停止制御を適正に行えば、適切な図柄表示を行うことができる。
そのうえ、鏡面部38及び透光窓部37によって回転角度位置の指標が形成されるので、指標となるインデックス部材を、別途、回転リール24に取り付ける必要がなくなる。
従って、回転リール24にリールテープ26を取り付ける際に、リールテープ26の取付位置のずれに留意する必要がなく、回転リール24にリールテープ26を容易に取り付けることができるようになるうえ、複数のインデックス部材を回転リール24に取り付け取付作業が不要となるので、回転リール24の組立作業が容易となり、製造コストの低減が図れるようになる。
【００４２】
また、回転リール24の周方向に交互に複数設けられた鏡面部38及び透光窓部37のうちの一つである透光窓部37A を、回転リール24の回転角度における原点位置に設けたので、原点位置を起点として透光窓部37A, 37Bの数を受光素子36でカウントしていくことにより、回転している回転リール24の回転角度位置を検出することができる。
これにより、回転リール24の回転角度位置を検出するにあたり、受光素子36の出力のみを検出対象として監視すれば、回転角度位置の検出が行えるようになるので、位置を検出するための処理が簡略化でき、ひいては、回転リール24の停止制御装置が簡単なものですみ、この点からも、製造コストの低減が図れるようになる。
【００４３】
さらに、回転リール24の各々に対して、三つの光源部29A と、一つの受光素子36とを設けたので、三つの光源部29A で回転リール24の外周面を広い範囲で照らし出す、具体的には、各回転リール24の複数の図柄26A のうち、三つの図柄26A を照らし出すようにしたので、三本の入賞ラインが設定された遊技に対応することができる。しかも、当該回転リール24の三つの光源部29A のうち、最下位置の光源部29A が照射する光のみを受光素子36がする位置に、受光素子36を配置したので、複数の光源部29A が設けられていても、回転角度位置検出に利用しない光源部29A の発する光による検出誤差発生を未然に防止することができ、また、発生した誤差を補正する補正手段等を測定回路に設ける必要がない。このため、位置を検出するための処理が簡略化でき、ひいては、回転リール24の停止制御装置が簡単なものですみ、この点からも、製造コストの低減が図れるようになる。
【００４４】
（第２実施形態）
図７は、本発明の第２実施形態を示すものである。具体的には、図７は、本第２実施形態に係る帯状体を示す拡大正面図である。
この本第２実施形態は、前記第１実施形態における等間隔に設けた複数の透光窓部37B に基づいて回転角度位置の検出を行っていたのを、透光窓部67（又は鏡面部68）の周方向に沿った長さ寸法を、その回転角度位置に応じた寸法に設定し、透光窓部67（又は鏡面部68）の周方向長さに基づいて回転角度位置の検出を行うようにしたものである。
すなわち、回転リール24の外周部分となるリールテープ66は、図７に示すように、図７中右側の側縁部分に透光窓部67及び鏡面部68が複数設けられている。
【００４５】
このリールテープ66の原点位置には、図柄番号「＃００」が付されている第１番面の図柄66A が記されている。そして、以降の回転角度位置の各々には、それぞれ図柄番号「＃０１」〜「＃２０」が付され、それぞれ第２番目から第２１番目までの図柄66B 〜66U が記されている。
なお、図７においては、上方から順に第２１番目の図柄66U 、並びに、第１〜４番目の各図柄66A 〜66D として、「赤７」並びに「ベル」、「スイカ」「青７」及び「ベル」が記されている。
ここで、光路形成手段である鏡面部68及び光路障害手段である透光窓部67は、回転リール24の周方向に交互に複数設けられているとともに、周方向に沿った長さ寸法が、その回転角度位置に応じて設定されている。
【００４６】
すなわち、鏡面部68は、回転リール24の周方向に沿って複数設けられているとともに、周方向に沿った長さ寸法が、その回転角度位置を示す番号が大きくなるに従って小さくなるように設定されている。これにより、これらの鏡面部68は、回転リール24の周方向に沿った長さ寸法が互いに相違し、同一のものが存在しないようになっている。
また、透光窓部67は、回転リール24の周方向に沿って複数設けられているとともに、周方向に沿った長さ寸法が、その回転角度位置を示す番号が大きくなるに従って大きくなるように設定されている。これにより、これらの透光窓部67は、回転リール24の周方向に沿った長さ寸法が互いに相違し、同一のものが存在しないようになっている。
【００４７】
このような本第２実施形態では、回転リール24の回転駆動動作を制御する制御装置に、受光素子36が光源部29A からの光を受光した際に、連続的に受光した時間を計時する計時手段を設けておく。そして、当該制御装置は、鏡面部68によって導かれてきた光源部29A からの光を受光素子36が受光している時間に基づいて、回転リール24の回転角度位置を検出するようになっている。なお、受光素子36が受光している時間を計時するのに代えて、透光窓部67によって光源部29A の光が逸れていた時間を計時しても、回転リール24の回転角度位置を検出することができるのは言うまでもない。
このような本第２実施形態によれば、前記第１実施形態と同様の効果を達成できる。
【００４８】
すなわち、回転リール24の周方向に交互に複数設けられた鏡面部68及び透光窓部67の周方向に沿った長さ寸法を、回転リール24の回転角度位置に対応させ、鏡面部68に対応する受光素子36の出力信号の持続時間を測定することにより、回転している回転リール24の回転角度位置を検出するようにしたので、回転リール24の回転角度位置を検出するにあたり、受光素子36の出力のみを検出対象として監視すれば、回転角度位置の検出が行えるようになり、これにより、位置を検出するための処理が簡略化でき、ひいては、回転リール24の停止制御装置が簡単なものですみ、製造コストの低減を図ることができる。
（第３実施形態）
図８〜図１０は、本発明の第３実施形態を示すものである。図８は、本第３実施形態に係る帯状体を示す拡大正面図、図９は、本第３実施形態に係る回転角度位置検出機構を示す模式断面図、図１０は、本第３実施形態に係る回転角度位置検出機構を示す模式平面図である。
【００４９】
この本第３実施形態は、前記第２実施形態における透光窓部67（又は鏡面部68）の周方向に沿った長さ寸法を、その回転角度位置に応じた寸法に設定し、透光窓部67（又は鏡面部68）の周方向長さに基づいて回転角度位置の検出を行っていたのを、透光窓部77の幅方向における位置を、その回転角度位置に応じた寸法に設定し、透光窓部77の幅方向における位置に基づいて回転角度位置の検出を行うようにしたものである。
すなわち、回転リール24の外周部分となるリールテープ76は、光路形成手段としての透光窓部77、及び、光路障害手段としての障壁部78の一方である透光窓部77が、回転リール24の周方向に所定間隔で設けらたものとなっている。そして、透光窓部77は、その幅方向における位置と設置数が回転リール24の回転角度位置に応じて設定されている。
【００５０】
具体的に説明すると、回転リール24の外周部分となるリールテープ76は、図８に示すように、互いに隣接する図柄76A 同士の境界部分Ｂに、光を通す透光窓部77及び光を通さない障壁部78によって形成される５桁の２進数コードが記されたものとなっている。
ここで、透光窓部77は、後で具体的に説明するが、バックライトである光源部29H が投光する光を回転リール24の外側へ透過させることにより光路Ｃを形成する光路形成手段となっている。
一方、障壁部78は、後で具体的に説明するが、バックライトである光源部29H が投光する光を遮断することにより、光路Ｃの形成を妨げる光路障害手段となっている。
【００５１】
そして、図柄76A 同士の境界部分Ｂの各々には、透光窓部77及び障壁部78のいずれか一方が形成されるべき五つの領域ｓ〜ｗが形成されている。これら五つの領域ｓ〜ｗは、図８中左から、領域ｓが１（２の０乗）の位に、領域ｔが２（２の１乗）の位に、領域ｕが４（２の２乗）の位に、領域ｖが８（２の３乗）の位に、領域ｗが２（２の４乗）の位に設定されている。
また、これらの領域ｓ〜ｗに対して、透光窓部77が「０」に、障壁部78が「１」に設定されている。
このようなリールテープ76の原点位置には、図柄番号「＃００」が付されている第０番面の図柄76A が記されている。そして、図柄76A の図８中上方の境界部分Ｂには、五つの領域ｓ〜ｗのすべてが透光窓部77となっており、これにより図柄番号「＃００」に相当する「０」が示されている。
【００５２】
以降の回転角度位置の各々には、それぞれ図柄番号「＃０１」〜「＃２０」が付され、それぞれ第１番目から第２０番目までの図柄76B 〜76U が記されている。そして、図柄76B 〜76U の各上方にある境界部分Ｂには、図柄76B 〜76U のそれぞれに相当する番号が透光窓部77及び障壁部78によって示されている。
例えば、図８においては、上方から順に第２０番目の図柄76U 、並びに、第０〜３番目の各図柄76A 〜76D として、「赤７」並びに「ベル」、「スイカ」「青７」及び「ベル」が記されている。そして、図柄76U,76A 〜76D の各々の図８中上方に配置されている境界部分Ｂには、５桁の２進数で、それぞれ「１０１０１（２０）」、「０００００（０）」、「００００１（１）」、「０００１０（２）」、及び、「０００１１（３）」が記されている。
【００５３】
一方、本第３実施形態に係る受光素子36は、図９に示すように、回転リール24の外側の空間において、スロットマシン１の前方となる位置であって、回転リール24の回転軸から図９中斜め左上方の位置に配置されている。
また、照明装置29は、リールテープ76に一列に配列された三つの図柄26A に光を背後から当てることができるように設けられた三つの光源部29A に加えて、リールテープ76の境界部分Ｂに形成された５桁の２進数コードを読むために光を投光する投光手段として光源部29H が設けられている。この光源部29H は、反射収納部29B の最上位置に設けられた収納部29E に光源部29A とともに収納されている。
【００５４】
この際、本第３実施形態に係るスロットマシン１には、図１０に示すように、回転リール24のリールテープ76に形成されている五つの領域ｓ〜ｗに対応して、５個の受光素子36がリールテープ76の幅方向と平行に配列されている。
そして、透光窓部77は、リールテープ76の境界部分Ｂに形成されている五つの領域ｓ〜ｗに必要に応じて設けられ、光源部29H から受光素子36までの光路Ｃを形成する光路形成手段となっている。
障壁部78は、リールテープ76の境界部分Ｂに形成されている五つの領域ｓ〜ｗに必要に応じて設けられ、光源部29H から受光素子36までの光路Ｃを遮断して、光路Ｃの形成を妨げる光路障害手段となっている。
【００５５】
また、５個の受光素子36の各々は、光源部29H からの光を受光すると「０」に対応する受光信号を出力する一方、光源部29H からの光を受光できないと「１」に対応する非受光信号を出力するものである。
このような本第３実施形態においても、回転リール24の回転駆動動作を制御するために、図示しない制御装置が設けられおり、当該制御装置は、５個の受光素子36の発信する受光信号又は非受光信号を受信するようになっている。
また、当該制御装置は、５個の受光素子36のすべて非受光信号を出力しているときは、５個の受光素子36から出力されている信号を無効とするように形成されている。
【００５６】
そして、当該制御装置は、５個の受光素子36の出力信号に一つでも受光信号が存在しているときに、５個の受光素子36から出力されている信号を有効とし、受光信号及び非受光信号の組合せに基づいて、回転リール24の回転角度位置を検出するようになっている。
なお、図１０においては、中央の回転リール24についてのみ、光源部29H 及び受光素子36を記し、その両側の回転リール24については、光源部29H 及び受光素子36の記載を省略しているが、実際には、両側の回転リール24にも、光源部29H 及び受光素子36が設けられている。
このような本第３実施形態によれば、前記第１及び第２実施形態と同様の効果を達成できる。
【００５７】
すなわち、回転リール24の各々に対して、複数の光源部29A, 29Hと、複数の受光素子36とを設け、且つ、光路形成手段としての透光窓部77及び光路障害手段としての障壁部78を、回転リール24の周方向に所定間隔で設けるとともに、リールテープ76の幅方向における位置及び設置数を当該回転リール24の回転角度位置に応じて設定し、これにより、回転角度位置を示す５桁の２進数コードを形成することができる。そして、複数の受光素子36を、リールテープ76の幅方向に平行に配列したので、回転リール24の周方向に所定間隔で設けられた透光窓部77が形成する５桁の２進数コードを複数の受光素子36で読み取ることができ、これにより、複数の受光素子36で回転リール24の回転角度位置を検出することができる。
【００５８】
ここで、回転リール24の回転角度位置を検出するにあたり、受光素子36の出力のみを検出対象として監視すれば、回転角度位置の検出が行えるようになるので、位置を検出するための処理が簡略化でき、ひいては、回転リールの停止制御装置が簡単なものですみ、この点からも、製造コストの低減が図れるようになる。
また、透光窓部77が回転リール24の周方向において等間隔に設けられているので、遊技者の眼に所定周期で光源部29A からの光が照射されるようになり、遊技者は、透光窓部77を通過する光源部29A からの光を、目押しを行う際のタイミング・ガイドとして利用することができる。
【００５９】
なお、本発明は、前記実施形態に限定されるものではなく、本発明の目的を達成できる範囲における変形及び改良などをも含むものである。
例えば、前記第１〜第３実施形態では、受光素子36を反射収納部29B の外部に設けたが、これに限らず、図１１に示すように、反射収納部29B の内部、例えば、反射収納部29B の最も上方に形成された収納部29E の内部に、受光素子36を光源部29A とともに設けてよい。
また、前記第１実施形態では、受光素子36を１個だけ設けたが、これに限らず、受光素子36を複数設けてもよい。
【００６０】
例えば、図１２に示すように、受光素子36を回転リール24に２個設けてもよい。
この場合、これらの受光素子36の各々は、いずれも回転リール24の外側に設置され、しかも、特定の一つの光源部29A が照射する光のみを受光可能とされ、且つ、他の受光素子36とは、受光時における回転リール24の回転角度位置がずれる、換言すると、受光のタイミングがずれるように配置されていることが望ましい。
このようすれば、二つの受光素子36は、光源部29A からの光を受光するタイミングがずれ、回転リール24を回転方向に応じて、一方の受光素子36の受光タイミングが他方の受光素子36よりも早くなる。これにより、一の受光素子36を基準に他の受光素子36の受光タイミングの先後を検出すれば、回転リール24の回転方向が時計方向及び反時計方向のいずれであるかが検出できる。従って、回転リール24が時計方向及び反時計方向のいずれの方向にも回転駆動可能となっていても、原点位置を起点として透光窓部37の数を受光素子36でカウントしていくことにより、回転している回転リール24の回転角度位置を検出することができる、という効果を付加できる。
【００６１】
なお、図１２においては、透光窓部37が光路形成手段とされ、回転リール24の周方向に並んだ二つの透光窓部37の間に形成されている障壁部39が光路障害手段となっている。
さらに、前記第３実施形態では、リールテープ76の幅方向における透光窓部77の位置と設置数を、回転リール24の回転角度位置に応じて設定し、これにより、透光窓部77及び障壁部78が５桁の２進数コードを形成するようにしたが、これに限らず、リールテープ76の幅方向における透光窓部77の位置を、回転リール24の回転角度位置に応じて設定し、リールテープ76の幅方向における透光窓部77の位置に基づいて、回転リール24の回転角度位置を検出するようにしてもよく、あるいは、リールテープ76の幅方向に沿った透光窓部77の長さ寸法を、回転リール24の回転角度位置に応じて設定し、リールテープ76の幅方向における透光窓部77の長さ寸法に基づいて、回転リール24の回転角度位置を検出するようにしてもよい。
【００６２】
また、受光素子がバックライトとともに回転リールの内側に配置されている場合には、光路障害手段としては、バックライトが投光する光を回転リールの外側へ透過させる透光窓部に限らず、バックライトが投光する光を吸収する黒色部を採用してもよい。
さらに、遊技機としては、メダルを遊技媒体として利用する回胴式遊技機であるスロットマシンに限らず、遊技球を遊技媒体として利用する回胴式遊技機であるパロット（登録商標）、あるいは、遊技球を遊技媒体として利用する弾球式遊技機であって、「ドラム」と呼ばれる回転リールを複数備え、これらの回転リールが停止した際に図柄が揃うと大当りとなるパチンコ遊技機でもよく、要するに、回転リールを備えた遊技機であれば、本発明を適用することができる。
【図面の簡単な説明】
【００６３】
【図１】本発明の第１実施形態に係るスロットマシンの全体を示す正面図である。
【図２】前記第１実施形態に係るスロットマシン全体を示す前扉及び交換ユニットが分離状態の分解斜視図である。
【図３】前記第１実施形態に係る回転リールを示す拡大斜視図である。
【図４】前記第１実施形態に係る帯状体を示す拡大正面図である。
【図５】前記第１実施形態に係る回転角度位置検出機構を示す模式断面図である。
【図６】図５に示した回転角度位置検出機構をの異なる状態を示す模式断面図である。
【図７】本発明の第２実施形態に係る帯状体を示す拡大正面図である。
【図８】本発明の第３実施形態に係る帯状体を示す拡大正面図である。
【図９】前記第３実施形態に係る回転角度位置検出機構を示す模式断面図である。
【図１０】前記第３実施形態に係る回転角度位置検出機構を示す模式平面図である。
【図１１】本発明の変形例を示す図５に相当する図である。
【図１２】本発明の別の変形例を示す図５に相当する図である。
【符号の説明】
【００６４】
１    遊技機としてのスロットマシン
24    回転リール
24A   図柄
26    帯状体としてのリールテープ
27    円筒状基体としてのリールフレーム
28    駆動モータとしてのステッピングモータ
29A   バックライトとしての光源部
29H   バックライトとしての光源部
36    受光素子
37    光路障害手段としての透光窓部
38    光路形成手段としての鏡面部
66    帯状体としてのリールテープ
67    光路障害手段としての透光窓部
68    光路形成手段としての鏡面部
76    帯状体としてのリールテープ
77    光路形成手段としての透光窓部
78    光路障害手段としての障壁部
【図１】
2008245671.tif 000003
【図２】
2008245671.tif 000004
【図３】
2008245671.tif 000005
【図４】
2008245671.tif 000006
【図５】
2008245671.tif 000007
【図６】
2008245671.tif 000008
【図７】
2008245671.tif 000009
【図８】
2008245671.tif 000010
【図９】
2008245671.tif 000011
【図１０】
2008245671.tif 000012
【図１１】
2008245671.tif 000013
【図１２】
2008245671.tif 000014